(57)【要約】【課題】効果的な電力管理を行うことができるテレビジョン受信機を提供する。【解決手段】テレビジョン受信機１は、リモコン２を用いて電源をオフされて第１省電力状態になり、操作部１１を用いて電源をオフされて、より省電力の第２省電力状態になる。テレビジョン受信機１は、一日に含まれる各時間帯に映像を表示した頻度を曜日別に集計し、映像を表示した頻度が低い時間帯と高い時間帯とを曜日別に記憶する。テレビジョン受信機１は、第１省電力状態で、映像を表示した頻度が低い時間帯に現在の時刻が含まれる場合に、第２省電力状態へ移行する。使用される可能性が低い時間帯に、テレビジョン受信機１は第２省電力状態となり、消費電力が削減される。【選択図】図１
2013198003.tif 000002
【特許請求の範囲】
【請求項１】
映像を表示している状態、映像の表示をしない第１省電力状態、及び該第１省電力状態よりも消費電力が少ない第２省電力状態を切り替えることができるテレビジョン受信機において、
時計手段と、
一週間に含まれる日の種類別に、予め定められた複数の時間帯毎に映像を表示した頻度を求める手段と、
一週間に含まれる日の種類に関連付けて、前記頻度が所定の基準以下になる時間帯を記憶する手段と、
第１省電力状態下で、当日の種類に関連付けて記憶されている前記時間帯に前記時計手段で得られる時刻が含まれる場合に、第１省電力状態を第２省電力状態へ切り替える手段と
を備えることを特徴とするテレビジョン受信機。
【請求項２】
映像を表示している状態、映像の表示をしない第１省電力状態、及び該第１省電力状態よりも消費電力が少ない第２省電力状態を切り替えることができるテレビジョン受信機において、
時計手段と、
映像表示を開始した場合に、映像表示を開始した時刻を記録する手段と、
映像表示を停止した場合に、映像表示を停止した時刻を記録する手段と、
映像表示を開始した時刻及び停止した時刻の記録結果に基づいて、映像を表示した時間帯及び映像を表示しなかった時間帯を判別する手段と、
該手段による判別結果を日毎に記憶する手段と、
該手段が記憶する日毎の前記判別結果に基づいて、一週間に含まれる日の種類が同じ複数の日の内で各時間帯に映像を表示した日数を集計する集計手段と、
前記日数が所定の第１基準以下になる時間帯を求める手段と、
一週間に含まれる日の種類に関連付けて、前記時間帯を記憶する手段と、
第１省電力状態下で、当日の種類に関連付けて記憶されている前記時間帯に前記時計手段で得られる時刻が含まれるか否かを判定する手段と、
前記時間帯に前記時刻が含まれる場合に、第１省電力状態を第２省電力状態へ切り替える手段と
を備えることを特徴とするテレビジョン受信機。
【請求項３】
人感センサと、
前記集計手段による集計結果に基づいて、前記日数が前記第１基準を超過し所定の第２基準以下になる時間帯を求める手段と、
一週間に含まれる日の種類に関連付けて、前記時間帯を記憶する手段と、
第１省電力状態下で、当日の種類に関連付けて記憶されている前記時間帯に前記時計手段で得られる時刻が含まれるか否かを判定する手段と、
前記時間帯に前記時刻が含まれる場合に、前記人感センサが人の存在を検知したか否かを判定する手段と、
前記人感センサが人の存在を検知しない場合に、第１省電力状態を第２省電力状態へ切り替える手段と
を更に備えることを特徴とする請求項２に記載のテレビジョン受信機。
【請求項４】
前記集計手段による集計結果に基づいて、前記日数が所定の第３基準を超過する時間帯を求める手段と、
一週間に含まれる日の種類に関連付けて、前記時間帯を記憶する手段と、
第２省電力状態下で、当日の種類に関連付けて記憶されている前記時間帯に前記時計手段で得られる時刻が含まれるか否かを判定する手段と、
前記時間帯に前記時刻が含まれる場合に、第２省電力状態を第１省電力状態へ切り替える手段と
を更に備えることを特徴とする請求項２又は３に記載のテレビジョン受信機。
【請求項５】
前記集計手段は、前記日数を、映像を表示した日からの時間経過に応じて重みが軽くなる重み付けを行った上で集計するようにしてあること
を特徴とする請求項２から４までの何れか一つに記載のテレビジョン受信機。
【請求項６】
特定の処理を特定の時刻に実行する予定を記憶する手段と、
該手段が前記予定を記憶している場合に、第１省電力状態を第２省電力状態へ切り替えることを禁止する手段と
を更に備えることを特徴とする請求項２から５までの何れか一つに記載のテレビジョン受信機。
【発明の詳細な説明】
【技術分野】
【０００１】
本発明は、消費電力を自ら調整することができるテレビジョン受信機に関する。
【背景技術】
【０００２】
テレビジョン受信機は、使用者が操作するリモコン（リモートコントローラ）からの信号を受信し、チャンネル切り替え等の制御を行う構成となっている。テレビジョン受信機のオンとオフとを切り替えるための電源スイッチは、リモコンとテレビジョン受信機の本体との両方に設けられており、使用者は、何れかの電源スイッチを操作することにより、テレビジョン受信機の表示をオフにすることができる。テレビジョン受信機は、リモコンの電源スイッチをオフの状態にされた場合は、映像の表示はできないもののリモコンからの信号の受信が可能な第１省電力状態となる。本体の電源スイッチをオフの状態にされた場合は、テレビジョン受信機は、第１省電力状態よりも消費電力を削減した第２省電力状態となり、リモコンからの信号を受け付けることができない。省電力の観点からは、使用者の就寝中等、テレビジョン受信機が長時間使用されない間は、テレビジョン受信機は第２省電力状態になっていることが望ましい。特許文献１には、時刻が予め定められた時間帯になった場合にテレビジョン受信機が自動的に第２省電力状態へ移行する技術が開示されている。
【先行技術文献】
【特許文献】
【０００３】
【特許文献１】特許第４３４２６２７号公報
【発明の概要】
【発明が解決しようとする課題】
【０００４】
特許文献１では、テレビジョン受信機が自動的に第２省電力状態へ移行する時間帯を使用者が予め設定しておく必要がある。このため、設定の手間がかかるという問題がある。また、使用者の習慣が変わった場合は、設定をやり直す必要があるという問題がある。また、テレビジョン放送では番組は曜日毎に異なるので、使用者がテレビジョン受信機を使用する時間帯は曜日別に異なり、一つの設定では適切な電力管理が困難であるという問題がある。
【０００５】
本発明は、斯かる事情に鑑みてなされたものであって、その目的とするところは、使用者がテレビジョン受信機を使用する頻度を一週間に含まれる日の種類別に求めることにより、効果的な電力管理を行うことができるテレビジョン受信機を提供することにある。
【課題を解決するための手段】
【０００６】
本発明に係るテレビジョン受信機は、映像を表示している状態、映像の表示をしない第１省電力状態、及び該第１省電力状態よりも消費電力が少ない第２省電力状態を切り替えることができるテレビジョン受信機において、時計手段と、一週間に含まれる日の種類別に、予め定められた複数の時間帯毎に映像を表示した頻度を求める手段と、一週間に含まれる日の種類に関連付けて、前記頻度が所定の基準以下になる時間帯を記憶する手段と、第１省電力状態下で、当日の種類に関連付けて記憶されている前記時間帯に前記時計手段で得られる時刻が含まれる場合に、第１省電力状態を第２省電力状態へ切り替える手段とを備えることを特徴とする。
【０００７】
本発明に係るテレビジョン受信機は、映像を表示している状態、映像の表示をしない第１省電力状態、及び該第１省電力状態よりも消費電力が少ない第２省電力状態を切り替えることができるテレビジョン受信機において、時計手段と、映像表示を開始した場合に、映像表示を開始した時刻を記録する手段と、映像表示を停止した場合に、映像表示を停止した時刻を記録する手段と、映像表示を開始した時刻及び停止した時刻の記録結果に基づいて、映像を表示した時間帯及び映像を表示しなかった時間帯を判別する手段と、該手段による判別結果を日毎に記憶する手段と、該手段が記憶する日毎の前記判別結果に基づいて、一週間に含まれる日の種類が同じ複数の日の内で各時間帯に映像を表示した日数を集計する集計手段と、前記日数が所定の第１基準以下になる時間帯を求める手段と、一週間に含まれる日の種類に関連付けて、前記時間帯を記憶する手段と、第１省電力状態下で、当日の種類に関連付けて記憶されている前記時間帯に前記時計手段で得られる時刻が含まれるか否かを判定する手段と、前記時間帯に前記時刻が含まれる場合に、第１省電力状態を第２省電力状態へ切り替える手段とを備えることを特徴とする。
【０００８】
本発明においては、テレビジョン受信機は、各時間帯に映像を表示した頻度を、曜日等の一週間に含まれる日の種類別に集計し、映像を表示した頻度が低い時間帯では、映像の表示をしない第１省電力状態から、より消費電力を削減した第２省電力状態へ移行する。テレビジョン受信機が使用される可能性が低い時間帯に、テレビジョン受信機は第２省電力状態となり、消費電力が削減される。
【０００９】
本発明に係るテレビジョン受信機は、人感センサと、前記集計手段による集計結果に基づいて、前記日数が前記第１基準を超過し所定の第２基準以下になる時間帯を求める手段と、一週間に含まれる日の種類に関連付けて、前記時間帯を記憶する手段と、第１省電力状態下で、当日の種類に関連付けて記憶されている前記時間帯に前記時計手段で得られる時刻が含まれるか否かを判定する手段と、前記時間帯に前記時刻が含まれる場合に、前記人感センサが人の存在を検知したか否かを判定する手段と、前記人感センサが人の存在を検知しない場合に、第１省電力状態を第２省電力状態へ切り替える手段とを更に備えることを特徴とする。
【００１０】
本発明においては、テレビジョン受信機は、人感センサを備え、映像を表示した頻度が低すぎず高すぎない時間帯では、人感センサが人の存在を検出しない場合に、第１省電力状態から第２省電力状態へ移行する。テレビジョン受信機が使用される可能性が低いときに消費電力が削減される。
【００１１】
本発明に係るテレビジョン受信機は、前記集計手段による集計結果に基づいて、前記日数が所定の第３基準を超過する時間帯を求める手段と、一週間に含まれる日の種類に関連付けて、前記時間帯を記憶する手段と、第２省電力状態下で、当日の種類に関連付けて記憶されている前記時間帯に前記時計手段で得られる時刻が含まれるか否かを判定する手段と、前記時間帯に前記時刻が含まれる場合に、第２省電力状態を第１省電力状態へ切り替える手段とを更に備えることを特徴とする。
【００１２】
本発明においては、テレビジョン受信機は、映像を表示した頻度が高い時間帯では、第２省電力状態から第１省電力状態へ移行する。テレビジョン受信機が使用される可能性が高いときに、映像の表示を開始することが容易となる。
【００１３】
本発明に係るテレビジョン受信機は、前記集計手段は、前記日数を、映像を表示した日からの時間経過に応じて重みが軽くなる重み付けを行った上で集計するようにしてあることを特徴とする。
【００１４】
本発明においては、テレビジョン受信機は、各時間帯において映像を表示した頻度を集計する際に、時間経過に応じて重みが軽くなる重み付けを行ったうえで集計する。これにより、最近の使用結果がより大きく頻度に反映される。
【００１５】
本発明に係るテレビジョン受信機は、特定の処理を特定の時刻に実行する予定を記憶する手段と、該手段が前記予定を記憶している場合に、第１省電力状態を第２省電力状態へ切り替えることを禁止する手段とを更に備えることを特徴とする。
【００１６】
本発明においては、テレビジョン受信機は、録画予約等、特定の時刻に特定の処理を実行する予定がある場合は、予定された処理を実行できるように、第１省電力状態から第２省電力状態への移行を行わない。
【発明の効果】
【００１７】
本発明にあっては、手間無くテレビジョン受信機の電力管理が可能となる。また、使用者の習慣に合わせて、テレビジョン受信機が第２省電力状態になる時間帯が調整され、効果的にテレビジョン受信機の消費電力が削減される等、本発明は優れた効果を奏する。
【図面の簡単な説明】
【００１８】
【図１】テレビジョン受信機を示す模式図である。
【図２】実施の形態１に係るテレビジョン受信機の内部の機能構成を示すブロック図である。
【図３】テレビジョン受信機が映像を表示した頻度を集計する処理の手順を示すフローチャートである。
【図４】各時間帯に数値を割り当てた例を示す図表である。
【図５】識別ポイントを計算した例を示す図表である。
【図６】一日の中で映像表示の停止が映像表示の開始よりも先に行われた場合に各時間帯に数値を割り当てた例を示す図表である。
【図７】一日の中で映像表示の停止が映像表示の開始よりも先に行われた場合に識別ポイントを計算した例を示す図表である。
【図８】補正後の識別ポイントの例を示す図表である。
【図９】識別ポイントを複数の日に亘って加算した結果の例を示す図表である。
【図１０】テレビジョン受信機が動作状態を制御する処理の手順を示すフローチャートである。
【図１１】実施の形態３に係るテレビジョン受信機の内部の機能構成を示すブロック図である。
【発明を実施するための形態】
【００１９】
以下本発明をその実施の形態を示す図面に基づき具体的に説明する。
（実施の形態１）
図１は、テレビジョン受信機１を示す模式図である。テレビジョン受信機１は、使用者からの操作を受け付ける操作部１１を備えている。また、テレビジョン受信機１は、リモコン２からの信号を受信する構成となっている。リモコン２は、使用者からの操作を受け付け、受け付けた操作に応じた処理をテレビジョン受信機１に実行させるための制御信号をテレビジョン受信機１へ送信する。テレビジョン受信機１は、受信した制御信号に応じた処理を実行する。操作部１１には、テレビジョン受信機１にオン／オフを行わせるための操作を受け付ける電源スイッチが含まれている。また、リモコン２にも、電源スイッチが設けられている。
【００２０】
図２は、実施の形態１に係るテレビジョン受信機１の内部の機能構成を示すブロック図である。テレビジョン受信機１は、演算を行う演算部、演算に伴う情報を記憶するＲＡＭ（Random Access Memory）、演算に必要なプログラムを記憶するＲＯＭ（Read Only Memory）等からなり、テレビジョン受信機１に必要な情報処理を実行する主制御部１２を備えている。主制御部１２には、リモコン２から送信される信号を受信する受信部１４と、不揮発性のメモリ又はハードディスクでなる記憶部１５とが接続されている。なお、記憶部１５は主制御部１２内に含まれていてもよい。また、主制御部１２には、外部からデータが入力されるインタフェース部１７１と、テレビジョン放送による放送信号を受信するチューナ１７２とが接続されている。主制御部１２は、インタフェース部１７１に入力されたデータ、又はチューナ１７２が受信した放送信号から、映像信号及び音声信号を生成する処理を行う。また、主制御部１２には、液晶パネル又はＥＬ（Electro Luminescence）パネル等の表示デバイスを含んでおり、映像を表示する表示部１７３と、スピーカ又は音声出力端子等を含んでおり、音声を出力する音声出力部１７４とが接続されている。主制御部１２は、映像信号に基づいた映像を表示部１７３に表示させ、音声信号に基づいた音声を音声出力部１７４に出力させる処理を行う。
【００２１】
また、主制御部１２には、演算部を含んでなる副制御部１３が接続されている。副制御部１３は、メモリ１３１を備えている。副制御部１３には、時刻を計測する時計部（時計手段）１６と操作部１１とが接続されている。テレビジョン受信機１は、各部へ電力を供給する電源部３を備えている。副制御部１３は、電源部３から各部への電力供給を制御する処理を行う。なお、時計部１６及び操作部１１は主制御部１２にも接続されていてもよい。また、副制御部１３は、時計部１６の機能を内蔵した形態であってもよい。
【００２２】
リモコン２は、電源スイッチを使用者が操作することにより電源オン又は電源オフの指示を受け付け、電源オン又は電源オフの制御信号を送信する。受信部１４で電源オフの制御信号を受信した場合、主制御部１２は、表示部１７３に映像を表示させるための処理を停止する。主制御部１２が映像を表示するための処理を行わない状態が第１省電力状態である。第１省電力状態では、表示部１７３に映像を表示している状態に比べて、主制御部１２での消費電力が削減され、テレビジョン受信機１全体の消費電力が削減されている。第１省電力状態で受信部１４が電源オンの制御信号を受信した場合、主制御部１２は、表示部１７３に映像を表示させるための処理を開始する。
【００２３】
操作部１１は、電源スイッチを使用者が操作することにより電源オン又は電源オフの指示を受け付ける。操作部１１で電源オフの指示を受け付けた場合、副制御部１３は、電源部３から主制御部１２への電力の供給を停止する。主制御部１２への電力供給が停止した状態が第２省電力状態である。第２省電力状態では、第１省電力状態よりも消費電力が削減されている。主制御部１２は動作せず、テレビジョン受信機１はリモコン２からの信号を受信することはできない。副制御部１３は、第２省電力状態でも電源部３から電力を供給されている。副制御部１３、時計部１６及び操作部１１は、第２省電力状態でも動作が可能になっている。第２省電力状態で操作部１１が電源オンの指示を受け付けた場合は、副制御部１３は、電源部３から主制御部１２への電力の供給を開始する。主制御部１２は、動作を開始するものの表示部１７３に映像を表示させるための処理は停止したままにするか、又は表示部１７３に映像を表示させるための処理を開始する。このとき、テレビジョン受信機１は、第２省電力状態から第１省電力状態へ移行するか、又は映像を表示部１７３で表示する状態へ移行する。
【００２４】
記憶部１５は、各種の設定データを記憶している。例えば、映像表示の開始又は停止を自動的に行うためのタイマー設定を記録した設定データが記録されている。また、図示しない外部の録画装置に番組を録画させるための録画予約を定めた予約データが記録されている。予約データには、外部の録画装置に番組を録画させる時刻及びチャンネルを示す情報が記録されている。
【００２５】
テレビジョン受信機１は、複数の時間帯において映像を表示した頻度を集計し、集計した頻度に応じて動作状態を制御する処理を行う。図３は、テレビジョン受信機１が映像を表示した頻度を集計する処理の手順を示すフローチャートである。主制御部１２は、一日の初めに、各時間帯に関連付けて情報を記録するための２４時間分のタイムテーブルを生成し、記憶する。タイムテーブルは、一日に含まれる複数の時間帯が記録され、各時間帯に関連付けられた情報が記録されたデータである。各時間帯の時間幅は予め定められており、１５分以下であることが望ましい。主制御部１２は、随時、テレビジョン受信機１での映像表示の開始を待ちうける（Ｓ１０１）。第１省電力状態でリモコン２からの電源オンの制御信号を受信部１４で受信し、表示部１７３が映像の表示を開始したときに、主制御部１２は映像表示を開始したと判定する。また、第２省電力状態で操作部１１が電源オンの指示を受け付け、表示部１７３が映像の表示を開始したときにも、主制御部１２は映像表示を開始したと判定する。映像表示を開始した場合は（Ｓ１０１：ＹＥＳ）、主制御部１２は、映像表示を開始したことをタイムテーブルに記録する（Ｓ１０２）。ステップＳ１０２では、主制御部１２は、時計部１６で計測した時刻が含まれる時間帯に関連付けて、映像表示を開始したことを示す情報を、記憶しているタイムテーブルに記録する。この処理により、映像表示の開始時刻が記録される。
【００２６】
ステップＳ１０２が終了した後、又はステップＳ１０１で映像表示の開始がない場合は（Ｓ１０１：ＮＯ）、主制御部１２は、テレビジョン受信機１での映像表示の停止を待ちうける（Ｓ１０３）。リモコン２からの電源オフの制御信号を受信部１４で受信し、表示部１７３に映像を表示させるための処理を停止したときに、主制御部１２は映像表示を停止したと判定する。また、操作部１１が電源オフの指示を受け付け、表示部１７３に映像を表示させるための処理を停止したときにも、主制御部１２は映像表示を停止したと判定する。また、タイマー設定に従って表示部１７３に映像を表示させるための処理を停止したときにも、主制御部１２は映像表示を停止したと判定する。映像表示を停止した場合は（Ｓ１０３：ＹＥＳ）、主制御部１２は、映像表示を停止したことをタイムテーブルに記録する（Ｓ１０４）。ステップＳ１０４では、主制御部１２は、時計部１６で計測した時刻が含まれる時間帯に関連付けて、映像表示を停止したことを示す情報を、記憶しているタイムテーブルに記録する。この処理により、映像表示の停止時刻が記録される。
【００２７】
ステップＳ１０４が終了した後、又はステップＳ１０３で映像表示の停止がない場合は（Ｓ１０３：ＮＯ）、主制御部１２は、一日が終了したか否かを判定する（Ｓ１０５）。一日が終了していない場合は（Ｓ１０５：ＮＯ）、主制御部１２は処理をステップＳ１０１へ戻す。一日が終了した場合は（Ｓ１０５：ＹＥＳ）、主制御部１２は、複数の時間帯の内、映像表示の開始時刻が含まれる時間帯に＋１、映像表示の停止時刻が含まれる時間帯に−１、どちらでもない時間帯に０を割り当てる。主制御部１２は次に、各時間帯に割り当てた数値を一日の最初から順次加算し、各時間帯において映像が表示されたか否かを識別するための識別ポイントを計算する（Ｓ１０６）。
【００２８】
図４は、各時間帯に数値を割り当てた例を示す図表である。図４では、時間帯の時間幅を１５分とし、各時間帯に含まれる最初の時刻を数値で示している。６：００〜６：１５の時間帯に映像表示が開始され、７：１５〜７：３０の時間帯に映像表示が停止されている。図５は、識別ポイントを計算した例を示す図表である。各時間帯に割り当てられた数値が一日の最初から順次加算されているので、映像表示が開始された以降の時間帯に対応する識別ポイントは１となり、映像表示が停止された以降の時間帯に対応する識別ポイントは０となる。識別ポイントが１である時間帯は、テレビジョン受信機１が映像を表示した時間帯である。識別ポイントが０である時間帯は、テレビジョン受信機１が映像を表示していない時間帯である。このように、主制御部１２は、ステップＳ１０６で各時間帯に対応する識別ポイントを計算することにより、映像が表示された時間帯と映像が表示されなかった時間とを判別する。
【００２９】
主制御部１２は、次に、計算した識別ポイントにマイナスの値が含まれるか否かを判定する（Ｓ１０７）。テレビジョン受信機１が映像を表示した状態で日付が変わった場合、日付変更後の一日では映像表示の停止が映像表示の開始よりも先に起こるので、識別ポイントがマイナスになる。図６は、一日の中で映像表示の停止が映像表示の開始よりも先に行われた場合に各時間帯に数値を割り当てた例を示す図表である。図６に示す例では、６：００〜６：１５の時間帯に映像表示が停止され、それまでは一日の最初から映像が表示されていたとする。図７は、一日の中で映像表示の停止が映像表示の開始よりも先に行われた場合に識別ポイントを計算した例を示す図表である。映像表示が停止された以降の時間帯に対応する識別ポイントが−１となっている。
【００３０】
ステップＳ１０７で識別ポイントにマイナスの値が含まれている場合は（Ｓ１０７：ＹＥＳ）、主制御部１２は、一日の中で識別ポイントの最小値が０になるように、全ての時間帯に対応する識別ポイントを補正する（Ｓ１０８）。具体的には、主制御部１２は、各時間帯に対応する識別ポイントに１を加算する。図８は、補正後の識別ポイントの例を示す図表である。図７に示す識別ポイントに１を加算した結果、識別ポイントの最小値が０になっている。補正後の識別ポイントが０である時間帯は、テレビジョン受信機１が映像を表示しなかった時間帯であり、補正後の識別ポイントが１である時間帯は、テレビジョン受信機１が映像を表示した時間帯である。ステップＳ１０８が終了した後、又はステップＳ１０７で識別ポイントにマイナスの値が含まれていない場合は（Ｓ１０７：ＮＯ）、主制御部１２は、識別ポイントと時間帯とを対応づけたデータを日付に関連付けて記憶部１５に記憶する（Ｓ１０９）。
【００３１】
主制御部１２は、識別ポイントを計算した日と曜日が同じ複数の日に関連付けられたデータを記憶部１５から読み出し、各時間帯に対応づけられた識別ポイントを複数の日に亘って加算する（Ｓ１１０）。図９は、識別ポイントを複数の日に亘って加算した結果の例を示す図表である。図９中には、識別ポイントを複数の日に亘って加算した加算値を各時間帯に対応させてある。識別ポイントの加算値は、曜日が同じ複数の日の内で各時間帯に映像を表示した日数を示し、各時間帯に映像を表示した頻度に相当する。ステップＳ１１０では、主制御部１２は、記憶部１５に記憶した識別ポイントの内、所定期間以上時間が経過した日の識別ポイントは、計算から除外する。即ち、主制御部１２は、所定期間内に取得された識別ポイントを加算する。所定期間は、例えば三カ月である。なお、主制御部１２は、所定期間が経過した日のデータを記憶部１５から削除する処理を行ってもよい。
【００３２】
主制御部１２は、次に、各時間帯に関連付けられた識別ポイントを複数の日に亘って加算した結果に基づいて、識別ポイントの加算値が所定の基準以下になる時間帯、及び識別ポイントの加算値が基準を超える時間帯を抽出する（Ｓ１１１）。ステップＳ１１１での基準は、一日の識別ポイントの加算値の最大値に対する割合で表されており、予め記憶部１５に記憶されている。例えば、基準は識別ポイントの加算値の最大値の５０％であり、図９に示す例では２である。基準の内容は固定されていてもよく、使用者が変更することが可能であってもよい。なお、基準の内容は具体的な数値であってもよい。また、主制御部１２は、ステップＳ１１１で、識別ポイントの加算値が基準（第１基準）以下になる時間帯と、前記基準よりも大きい他の基準（第３基準）を識別ポイントの加算値が超える時間帯とを抽出する処理を行ってもよい。識別ポイントの加算値が基準以下になる時間帯は、映像を表示する頻度が低い時間帯であり、識別ポイントの加算値が基準を超える時間帯は、映像を表示する頻度が高い時間帯である。
【００３３】
主制御部１２は、次に、映像を表示する頻度が低い時間帯、及び映像を表示する頻度が高い時間帯を曜日に関連付けて記憶部１５に記憶し（Ｓ１１２）、処理を終了する。主制御部１２は、ステップＳ１０１〜Ｓ１１２の処理を毎日繰り返す。なお、テレビジョン受信機１は、ステップＳ１０１〜Ｓ１１２の一部の処理を副制御部１３で実行する形態であってもよい。
【００３４】
図１０は、テレビジョン受信機１が動作状態を制御する処理の手順を示すフローチャートである。ステップＳ１０１〜Ｓ１１２の処理と並行して、副制御部１３は、随時、テレビジョン受信機１が第１省電力状態であるか否かを判定する（Ｓ２１）。第１省電力状態である場合は（Ｓ２１：ＹＥＳ）、副制御部１３は、記憶部１５から、当日の曜日に関連付けて記憶されている、映像を表示する頻度が低い時間帯を読み出し、時計部１６が計測した時刻が、映像を表示する頻度が低い時間帯に含まれるか否かを判定する（Ｓ２２）。映像を表示する頻度が低い時間帯に時刻が含まれる場合に（Ｓ２２：ＹＥＳ）、副制御部１３は、記憶部１５に予約データが記憶されているか否かを判定する（Ｓ２３）。予約データが記憶されている場合は（Ｓ２３：ＹＥＳ）、副制御部１３は、第１省電力状態のままで処理を終了する。
【００３５】
ステップＳ２３で予約データが記憶されていない場合は（Ｓ２３：ＮＯ）、副制御部１３は、記憶部１５から、当日の曜日に関連付けて記憶されている、映像を表示する頻度が高い時間帯を読み出し、読み出した時間帯をメモリ１３１に記憶する（Ｓ２４）。副制御部１３は、次に、テレビジョン受信機１を第２省電力状態へ移行させる処理を行い（Ｓ２５）、処理を終了する。ステップＳ２５では、副制御部１３は、電源部３から主制御部１２への電力の供給を停止する。なお、ステップＳ２５では、副制御部１３は、テレビジョン受信機１が第１省電力状態になってから所定時間が経過した後に第２省電力状態へ移行させる処理を行ってもよい。後述するように、副制御部１３は、映像を表示した頻度が高い時間帯では、テレビジョン受信機１を第２省電力状態から第１省電力状態へ移行させる処理を行う必要がある。第２省電力状態では主制御部１２が動作しないので、記憶部１５で記憶している時間帯を参照することができない。そこで、副制御部１３は、ステップＳ２４で予め時間帯をメモリ１３１に読み出しておくことにより、テレビジョン受信機１を第２省電力状態から第１省電力状態へ移行させる後述の処理を可能にする。
【００３６】
ステップＳ２２で、映像を表示する頻度が低い時間帯に時刻が含まれない場合に（Ｓ２２：ＮＯ）、副制御部１３は、操作部１１での電源オフの指示の受付を待ちうける（Ｓ２６）。操作部１１で電源オフの指示を受け付けた場合は（Ｓ２６：ＹＥＳ）、副制御部１３は、処理をステップＳ２４へ進める。操作部１１での電源オフの指示の受け付けが無い場合は（Ｓ２６：ＮＯ）、副制御部１３は、処理をステップＳ２１へ戻す。
【００３７】
ステップＳ２１で第１省電力状態でない場合は（Ｓ２１：ＮＯ）、副制御部１３は、テレビジョン受信機１が第２省電力状態であるか否かを判定する（Ｓ２７）。第２省電力状態でない場合は（Ｓ２７：ＮＯ）、副制御部１３は、処理をステップＳ２６へ進める。第２省電力状態である場合は（Ｓ２７：ＹＥＳ）、副制御部１３は、メモリ１３１に記憶してある、映像を表示する頻度が高い時間帯に、時計部１６が計測した時刻が含まれるか否かを判定する（Ｓ２８）。映像を表示する頻度が高い時間帯に時刻が含まれない場合は（Ｓ２８：ＮＯ）、副制御部１３は、処理をステップＳ２１へ戻す。映像を表示する頻度が高い時間帯に時刻が含まれる場合は（Ｓ２８：ＹＥＳ）、副制御部１３は、テレビジョン受信機１を第１省電力状態へ移行させる処理を行い（Ｓ２９）、処理を終了する。ステップＳ２９では、副制御部１３は、電源部３から主制御部１２への電力の供給を開始する。副制御部１３は、ステップＳ２１〜Ｓ２９の処理を随時繰り返す。
【００３８】
以上詳述した如く、本実施の形態に係るテレビジョン受信機１は、各時間帯において映像を表示した頻度を曜日別に集計し、映像を表示した頻度が低い時間帯では、第１省電力状態から第２省電力状態へ移行する。テレビジョン受信機１が使用される可能性が低い時間帯に、テレビジョン受信機１は第２省電力状態となり、消費電力が削減される。第１省電力状態から第２省電力状態へ移行する時間帯を設定しておく必要が無いので、手間無くテレビジョン受信機１の電力管理を行うことができる。また、実際にテレビジョン受信機１で映像を表示した頻度を集計するので、使用者の習慣が変わった場合でも、テレビジョン受信機１が第２省電力状態になる時間帯も習慣に合わせて変化し、効果的に消費電力が削減される。また、テレビジョン受信機１で映像を表示した頻度を曜日別に集計するので、テレビジョン受信機１が第２省電力状態になる時間帯は、使用者がテレビジョン受信機１を使用する曜日別の習慣に応じた時間帯となり、効果的に消費電力が削減される。従って、手間無くテレビジョン受信機１の電力管理が可能となり、効果的にテレビジョン受信機１の消費電力が削減される。
【００３９】
また、テレビジョン受信機１は、ステップＳ１１０で各時間帯において映像を表示した頻度を集計する際に、三カ月等の所定期間以上時間が経過した日については計算から除外する。このため、集計される頻度は、最新のテレビジョン受信機１の動作状況に応じたものとなり、使用者の習慣に合わせたテレビジョン受信機１の電力管理が効果的に行われる。例えば、テレビジョン放送のスケジュールは三カ月毎に変更されることが多く、これに合わせて使用者が番組を視聴する習慣も変化する。三カ月以上時間が経過した日については計算から除外した場合は、使用者の最新の習慣に合わせたテレビジョン受信機１の電力管理が効果的に行われる。
【００４０】
また、テレビジョン受信機１は、第２省電力状態下で、映像を表示した頻度が高い時間帯になったときは、第２省電力状態から第１省電力状態へ移行する。第１省電力状態では、使用者は操作部１１を操作せずともリモコン２を操作するだけでテレビジョン受信機１に映像を表示させることができる。テレビジョン受信機１が使用される可能性が高い時間帯でテレビジョン受信機１に映像を表示させるための操作が容易になり、テレビジョン受信機１の利便性が向上する。
【００４１】
また、テレビジョン受信機１は、録画予約を定めた予約データを記憶部１５が記憶している場合には、第２省電力状態へは移行しない。外部の録画装置に番組を録画させるための処理は主制御部１２が実行するので、第２省電力状態では実行できない。テレビジョン受信機１は、第２省電力状態へは移行しないので、確実に外部の録画装置に番組を録画させることができる。なお、テレビジョン受信機１は、予め設定してある時刻に映像表示を開始する処理等、他の処理を特定の時刻に実行する予定を定めたデータを記憶部１５が記憶している場合にも第２省電力状態へは移行を禁止する処理を行ってもよい。
【００４２】
なお、本実施の形態においては、映像を表示する曜日別の頻度に応じてテレビジョン受信機１の電力を管理する形態を示したが、テレビジョン受信機１は、曜日以外の日の種類別に、映像を表示する頻度に応じた電力管理の処理を行う形態であってもよい。例えば、テレビジョン受信機１は、映像を表示する頻度を平日と週末とに分けて集計し、平日と週末とで異なるスケジュールで電力管理を行う形態であってもよい。多くの場合、使用者の習慣は平日と週末とで異なるので、この形態においても、使用者に習慣に合わせて効果的にテレビジョン受信機１の消費電力が削減される。
【００４３】
（実施の形態２）
実施の形態２に係るテレビジョン受信機１の構成は、実施の形態１と同様である。本実施の形態では、主制御部１２は、ステップＳ１１０の処理を行う際に、映像を表示した日からの時間経過に応じた重み付けを行った上で識別ポイントを加算する処理を行う。具体的には、主制御部１２は、記憶部１５に記憶している各時間帯と識別ポイントとを対応づけたデータの日付から現在までの期間が長いほど重みが軽くなる重み付けを識別ポイントに対して行った上で、各時間帯に対応付けられた識別ポイントを複数の日に亘って加算する。例えば、二カ月前から一カ月前までに得られた識別ポイントには１／２を掛け、二カ月以上前に得られた識別ポイントには１／４を掛けた上で加算する。このとき、識別ポイントの加算値は小数となる。また例えば、二カ月前から一カ月前までに得られた識別ポイントには２を掛け、一カ月前から現在までに得られた識別データには４を掛けた上で加算する処理を行ってもよい。
【００４４】
本実施の形態においては、計算される映像表示の頻度は、最近の実績がより重視された値となる。このため、使用者の最近の習慣に合わせたテレビジョン受信機１の電力管理が行われる。使用者の習慣が変化していった場合でも、効果的にテレビジョン受信機１の消費電力が削減される。
【００４５】
（実施の形態３）
図１１は、実施の形態３に係るテレビジョン受信機１の内部の機能構成を示すブロック図である。テレビジョン受信機１は、人感センサ１８を備えており、人感センサ１８は副制御部１３に接続されている。テレビジョン受信機１のその他の構成は実施の形態１と同様である。人感センサ１８は、赤外線センサ又はカメラ等を用いて、人間の存在を検出するセンサである。
【００４６】
本実施の形態では、記憶部１５は、実施の形態１で使用される基準（第１基準）よりも大きい第２基準を記憶している。主制御部１２は、ステップＳ１１１で、識別ポイントの加算値が第１基準を超過し第２基準以下になる時間帯を抽出し、ステップＳ１１２でこの時間帯を記憶部１５に記憶する。副制御部１３は、ステップＳ２２で、識別ポイントの加算値が第１基準を超過する時間帯に時刻が含まれる場合に、識別ポイントの加算値が第２基準以下になる時間帯に時刻が含まれるか否かを判定する。副制御部１３は、識別ポイントの加算値が第２基準以下になる時間帯に時刻が含まれない場合は、所定をステップＳ２６へ進め、識別ポイントの加算値が第２基準以下になる時間帯に時刻が含まれる場合は、人感センサ１８が人の存在を検知したか否かを判定する。副制御部１３は、人感センサ１８が人の存在を検知した場合は、処理をステップＳ２６へ進め、人感センサ１８が人の存在を検知しない場合は、処理をステップＳ２３へ進める。
【００４７】
以上のように、本実施の形態では、テレビジョン受信機１は、映像を表示した頻度が高すぎず低すぎない時間帯では、人感センサ１８で人を検知した場合に第１省電力状態を維持し、人感センサ１８で人を検知しない場合には第１省電力状態から第２省電力状態へ移行する。映像を表示した頻度が低すぎず、テレビジョン受信機１の周辺に使用者がいる状況では、使用者がテレビジョン受信機１を使用する可能性がある。このときに第１省電力状態が維持されることで、テレビジョン受信機１に映像を表示させるための操作が容易になり、テレビジョン受信機１の利便性が向上する。また、映像を表示した頻度が高すぎず、テレビジョン受信機１の周辺に使用者がいない状況では、使用者がテレビジョン受信機１を使用する可能性は低い。このときにテレビジョン受信機１が第２省電力状態へ移行することで、テレビジョン受信機１の消費電力が効果的に削減される。
【００４８】
なお、本発明のテレビジョン受信機１は、以上の実施の形態１〜３で説明した方法以外の方法で、各時間帯に映像を表示した頻度を求める形態であってもよい。例えば、テレビジョン受信機１は、映像を表示しているか否かを常時判定し、判定結果を各時間帯に関連付けて記憶し、判定結果を集計することにより、各時間帯に映像を表示した頻度を求める処理を行ってもよい。
【符号の説明】
【００４９】
１  テレビジョン受信機
１１  操作部
１２  主制御部
１３  副制御部
１３１  メモリ
１４  受信部
１５  記憶部
１６  時計部
１７３  表示部
１８  人感センサ
２  リモコン
３  電源部
【図１】
2013198003.tif 000003
【図２】
2013198003.tif 000004
【図３】
2013198003.tif 000005
【図４】
2013198003.tif 000006
【図５】
2013198003.tif 000007
【図６】
2013198003.tif 000008
【図７】
2013198003.tif 000009
【図８】
2013198003.tif 000010
【図９】
2013198003.tif 000011
【図１０】
2013198003.tif 000012
【図１１】
2013198003.tif 000013